(57)【特許請求の範囲】
【請求項１】
第一および第二の電極を互いの間の間隔が可変な状態で交互に積層してなり、前記第一の電極と前記第二の電極との間に与えられる電位差によって両電極間に発生する静電引力により伸縮する積層型静電アクチュエータにおいて、
それぞれ導電性およびゴム弾性を有する導電性エラストマーの層からなる前記第一および第二の電極と、
前記第一の電極と前記第二の電極との間に介在された、電気絶縁性およびゴム弾性を有するエラストマーからなる電気絶縁層とを有してなり、
前記第一の電極と前記第二の電極との間に電位差が印加され、前記第一の電極と前記第二の電極との間の間隔を小さくしようとする静電引力が作用したとき、前記電気絶縁層が該電気絶縁層のゴム弾性に抗して圧縮されるようにしており、
前記電気絶縁層は前記第一の電極の表裏両面を被覆する第一の電気絶縁層と前記第二の電極の表裏両面を被覆する第二の電気絶縁層とを含み、前記第一の電極と前記第二の電極との間に前記第一および第二の電気絶縁層が介在されており、
前記第一および第二の電極の表裏両面に凹凸が設けられていて、かつこれらの凹凸に対応して前記第一および第二の電気絶縁層も凹凸を形成しており、前記第一の電気絶縁層と前記第二の電気絶縁層とは互いに全面的には接触されておらず、これらの電気絶縁層がそれぞれなす凸部においてのみ接触されていて、前記第一および第二の電気絶縁層がなす前記凸部間にそれぞれ空隙が形成されており、
前記空隙は、前記第一の電極と前記第二の電極との間に電位差が印加され、前記第一の電極と前記第二の電極との間の間隔を小さくしようとする静電引力が作用したとき、前記第一および第二の電気絶縁層の横変形を受け入れ、前記第一および第二の電気絶縁層がそれぞれ容易に圧縮されるようになっている積層型静電アクチュエータ。
【請求項２】
前記第一および第二の電極の表裏両面の前記凹凸はそれぞれ交互に一方向に延びる凹条部および凸条部であり、前記第一の電極の前記凹条部および前記凸条部と前記第二の電極の前記凹条部および前記凸条部とは互いに直交する方向に延びている請求項１記載の積層型静電アクチュエータ。
【請求項３】
前記第一および第二の電極はそれぞれ帯状なしており、前記第一および第二の電極の前記凹条部および前記凸条部は前記第一および第二の電極の長さ方向にそれぞれ延びており、
前記第一の電気絶縁層を被覆された前記第一の電極および前記第二の電気絶縁層を被覆された前記第二の電極は、それぞれジグザク状となるとともに互いに直交するように交互に折り込まれている請求項２記載の積層型静電アクチュエータ。
【請求項４】
第一および第二の電極を互いの間の間隔が可変な状態で交互に積層してなり、前記第一の電極と前記第二の電極との間に与えられる電位差によって両電極間に発生する静電引力により伸縮する積層型静電アクチュエータにおいて、
それぞれ導電性およびゴム弾性を有する導電性エラストマーの層からなる前記第一および第二の電極と、
前記第一の電極と前記第二の電極との間に介在された、電気絶縁性およびゴム弾性を有するエラストマーからなる電気絶縁層とを有してなり、
前記第一の電極と前記第二の電極との間に電位差が印加され、前記第一の電極と前記第二の電極との間の間隔を小さくしようとする静電引力が作用したとき、前記電気絶縁層が該電気絶縁層のゴム弾性に抗して圧縮されるようにしており、
前記第一の電極と前記第二の電極との間に前記電気絶縁層が設けられている部分と設けられておらず空隙が形成されている部分とが存在し、
前記空隙は、前記第一の電極と前記第二の電極との間に電位差が印加され、前記第一の電極と前記第二の電極との間の間隔を小さくしようとする静電引力が作用したとき、前記第一および第二の電気絶縁層の横変形を受け入れ、前記第一および第二の電気絶縁層が容易に圧縮されるようになっている積層型静電アクチュエータ。
【請求項５】
隣り合う前記電気絶縁層の表面同士または隣り合う前記電気絶縁層と前記電極の表面同士を互いに固着することにより、隣り合う前記第一の電極と前記第二の電極とが前記電気絶縁層を介して互いに固着されている請求項１乃至４のいずれか１項に記載の積層型静電アクチュエータ。
【発明の詳細な説明】
【技術分野】
【０００１】
本発明は静電アクチュエータに係り、特に第一および第二の電極を互いの間の間隔が可変な状態で交互に積層してなり、第一の電極と第二の電極との間に与えられる電位差によって両電極間に発生する静電引力により伸縮する積層型静電アクチュエータに関する。
【背景技術】
【０００２】
従来のこの種の積層型静電アクチュエータとしては、特許文献１に開示されているものが知られている。この従来の積層型静電アクチュエータは、それぞれ銅等の金属層からなる導電部の上下にＰＥＴ等のフィルム状の電気絶縁部を重ねたサンドイッチ構造を有する２本の帯状の電極フィルムを、それぞれジグザク状となるようにして、互いに対し直交するように交互に折り込んでなるものである。
【先行技術文献】
【特許文献】
【０００３】
【特許文献１】特開２００１−２６８９４８号公報
【発明の概要】
【発明が解決しようとする課題】
【０００４】
当然のことであるが、積層型静電アクチュエータにおいては、理想的には、第一の電極と第二の電極は互いに対して平行を維持したまま両者間の距離が変化するように相対運動するのが望ましい。
【０００５】
しかるに、特許文献１に開示されている積層型静電アクチュエータにおいては、第一の電極と第二の電極（各電極フィルムの導電部の一部が構成している）とが各電極フィルムの折曲部を回動中心として相対的に回動することにより、すなわち和鋏と同様の運動することにより、電極間の距離を変化するようになっていた。
【０００６】
このため、動作特性および形状安定性において問題があった。また、外力により各電極フィルムの折曲部を中心とする電極間の角度が一定以上増大されると、折曲部と反対側の第一および第二の電極間の間隔が大きく広がり、電極間に電位差を印加しても、収縮できなくなる等の問題もあった。
【０００７】
また、電極フィルムの折曲部を容易に変形できるようにするため、電極フィルムの導電部（電極部および配線部）並びに電気絶縁部を複雑な形状に加工しなければならないので、製造コストが高くなるという問題もあった。
【０００８】
本発明は、このような従来の事情に鑑みてなされたもので、本発明の目的の一つは、第一の電極と第二の電極が実質的に互いに対して平行を維持したまま両者間の距離が変化するように相対運動し、動作特性および形状安定性等が優れた積層型静電アクチュエータを提供することにある。
【０００９】
本発明の他の目的は、製造コストが安価な積層型静電アクチュエータを提供することにある。
【００１０】
本発明のさらに他の目的は、以下の説明から明らかになろう。
【課題を解決するための手段】
【００１１】
本発明による積層型静電アクチュエータは、
第一および第二の電極を互いの間の間隔が可変な状態で交互に積層してなり、前記第一の電極と前記第二の電極との間に与えられる電位差によって両電極間に発生する静電引力により伸縮する積層型静電アクチュエータにおいて、
それぞれ導電性およびゴム弾性を有する導電性エラストマーの層からなる前記第一および第二の電極と、
前記第一の電極と前記第二の電極との間に介在された、電気絶縁性およびゴム弾性を有するエラストマーからなる電気絶縁層とを有してなり、
前記第一の電極と前記第二の電極との間に電位差が印加され、前記第一の電極と前記第二の電極との間の間隔を小さくしようとする静電引力が作用したとき、前記電気絶縁層が該電気絶縁層のゴム弾性に抗して圧縮されるようにしたものである。
【００１２】
本発明においては、第一の電極と第二の電極との間に電位差が印加されると、これらの電極を互いに近づけようとする静電引力が両電極間に作用し、電気絶縁層をそのゴム弾性に抗して圧縮するので、前記電位差に応じて電極間の間隔が小さくなり、アクチュエータ全体が収縮する。他方、電極間に対する電位差の印加が停止されれば、ゴム弾性により電気絶縁層が元の状態に復帰する。このため、電極間に印加される電位差に応じて電極間の間隔が変化し、アクチュエータが伸縮する。
【００１３】
ここにおいて、本発明では、各電極および電気絶縁層はエラストマーからなり、ゴム弾性を示し、金属およびＰＥＴ等のプラスチックのような金属弾性またはプラスチック弾性および大きな変形抵抗は示さない。したがって、各電極を電気絶縁層とともに折り曲げたとしても、特許文献１に開示されている積層型静電アクチュエータの場合のように、第一の電極と第二の電極とが折曲部を回動中心として相対的に回動運動をするようなことはなく、第一の電極と第二の電極とが実質的に互いに対して平行を維持したまま両者間の距離が変化するように相対運動する。このため、動作特性および形状安定性等が非常に優れている。
【００１４】
また、電極および電気絶縁層を構成するエラストマーを複雑な形状とする必要がなく、これらの加工が容易であるので、製造コストを安価にできる。
【００１５】
なお、電気絶縁層が平板状をなしていると、電極間の間隔を小さくしようとする静電引力が作用しても、電気絶縁層が電極間の間隔を縮小させる方向に変形しにくい。しかるに、電気絶縁層に凹凸を形成させ、該電気絶縁層がなす凸部間に空隙が形成されるようにしたり、電極間に電気絶縁層が存在しない部分を設け、該部分が空隙を形成するようにすれば、電極間の間隔を小さくしようとする静電引力が作用したとき、電気絶縁層が横変形できる（前記空隙が電気絶縁層の横変形を受け入れるからである）ので、電気絶縁層が電極間の間隔を縮小させる方向に変形し易くなる。
【発明の効果】
【００１６】
本発明の積層型静電アクチュエータは、
（イ）第一の電極と第二の電極とが実質的に互いに対して平行を維持したまま両者間の距離が変化するように相対運動するので、動作特性および形状安定性等が非常に優れている、
（ロ）電極および電気絶縁層を構成するエラストマーを複雑な形状とする必要がなく、これらの加工が容易であるので、製造コストを安価にできる、
等の優れた効果を得られるものである。
【図面の簡単な説明】
【００１７】
【図１】本発明の積層型静電アクチュエータの実施例１を示す斜視図である。
【図２】前記実施例１を示す正面図である。
【図３】前記実施例１を示す側面図である。
【図４】前記実施例１を示す平面図である。
【図５】図４のＶ−Ｖ線における断面図である。
【図６】図４のＶＩ−ＶＩ線における断面図である。
【図７】前記実施例１における第一および第二の電極を電気絶縁層を被覆されていない状態で示す拡大横断面図である。
【図８】前記実施例１における第一および第二の電極を電気絶縁層を被覆された状態で示す拡大横断面図である。
【図９】前記実施例１における第一の電気絶縁層を被覆された第一の電極および第二の電気絶縁層を被覆された第二の電極を互いに折り込む方法を示す斜視図である。
【図１０】本発明の積層型静電アクチュエータの実施例４を示す断面図である。
【図１１】図１０の断面図と垂直な断面位置において前記実施例４を示す断面図である。
【図１２】本発明の積層型静電アクチュエータの実施例５を示す断面図である。
【図１３】前記実施例５における第一の電極を示す平面図である。
【図１４】前記実施例５における第一の電極を示す底面図である。
【図１５】前記実施例５における第二の電極（アクチュエータの一番上の第二の電極を除く）を示す平面図である。
【図１６】前記実施例５における第二の電極を示す底面図である。
【発明を実施するための形態】
【００１８】
本発明において、第一および第二の電極を構成する導電性エラストマーとしては、次のようなもの使用可能である。
【００１９】
（Ａ）導電性ゴム
イ）電子伝導性ゴム
ゴムに導電性フィラーを分散させたもの。ゴムとしては、あらゆる種類のゴムを使    用可能である。導電性フィラーとしては、例えば、カーボンブラック、カーボンファ    イバー、グラファイト、金属粉、金属繊維、金属被覆された粒子等を使用できる。
上記のように本発明においては、広範囲の電子伝導性ゴムが使用可能であるが、好    ましい電子導電性ゴムは、ＥＰＤＭ（エチレンプロピレンゴム）またはシリコーンゴ    ムにカーボンブラックを分散させたものである。
ロ）イオン伝導性ゴム
ゴムにイオン伝導剤を分散したもの。ゴムとしては、ウレタンゴム、アクリルゴム    等を使用できる。イオン伝導剤としては、例えば電解質溶液（ゲル）、過塩素リチウ    ムの炭酸プロピレン溶液等を使用できる。
（Ｂ）導電性ＴＰＥ（熱可塑性エラストマー）
イ）電子伝導性ＴＰＥ
ＴＰＥに導電性フィラーを分散させたもの。ＴＰＥとしては、あらゆる種類のＴＰ    Ｅを使用可能である。導電性フィラーとしては、前記電子導電性ゴムの場合と同じも    のを使用できる。
好ましい電子導電性ＴＰＥは、スチレン系またはオレフィン系ＴＰＥにカーボンブ    ラックを分散させたものである。
ロ）イオン伝導性ＴＰＥ
ＴＰＥにイオン伝導剤を分散したもの。ＴＰＥとしては、ウレタン系、アクリル系    、エステル系ＴＰＥ等を使用できる。イオン伝導剤としては、前記イオン伝導性ゴム    の場合と同じものを使用できる。
【００２０】
本発明において、電気絶縁層を構成するエラストマーとしては、導電性フィラーおよびイオン伝導剤を含まないあらゆる種類のゴムまたはＴＰＥが使用可能である。なお、電極と電気絶縁層との親和性の観点からは、電極に使用する導電性エラストマーと電気絶縁層に使用するエラストマーとは、その成分中のゴムまたはＴＰＥが同一であることが好ましいが、場合によっては、電極に使用する導電性エラストマーと電気絶縁層に使用するエラストマーとのゴムまたはＴＰＥが異なるようにしてもよい。
【００２１】
以下、本発明を図面に示す実施例に基づいて説明する。
【実施例１】
【００２２】
図１〜９は本発明による積層型静電アクチュエータの実施例１を示している。このうち、図１〜６は、電位差を印加されていない状態における本実施例の積層型静電アクチュエータ１全体を示している。第一および第二の電極２，３は、それぞれ導電性およびゴム弾性を有する導電性エラストマーの層からなる。具体的には、ＥＰＤＭにカーボンブラックを分散させた電子伝導性ゴムからなり、帯状をなしている。図７の横断面図によく示されるように、前記第一および第二の電極２，３は、その表裏両面に交互に該電極２，３の長さ方向に延びる凹条部２ａ，３ａおよび凸条部２ｂ，３ｂをそれぞれ形成されている。
【００２３】
前記第一の電極２はその表裏両面に第一の電気絶縁層４を被覆され、前記第二の電極３はその表裏両面に第二の電気絶縁層５を被覆されている。前記第一および第二の電気絶縁層４，５は、それぞれ電気絶縁性およびゴム弾性を有するエラストマーからなる。具体的には、導電性フィラーおよびイオン伝導剤を含まないスチレン系ＴＰＥからなる。前記第一および第二の電極２，３に対する第一および第二の電気絶縁層４，５の被覆は、それぞれ例えばディッピング処理や、スプレーイング処理によって行うことができる。
【００２４】
前記第一および第二の電気絶縁層４，５は全部分において均一な厚さとされている。図８の横断面図によく示されるように、第一および第二の電極２，３の表裏両面の凹条部２ａ，３ａおよび凸条部２ｂ，３ｂに対応して、第一および第二の電気絶縁層４，５も表裏両面において凹条部４ａ，５ａおよび凸条部４ｂ，５ｂを形成している。
【００２５】
前記第一の電気絶縁層４を被覆された第一の電極２および第二の電気絶縁層５を被覆された第二の電極３は、図９にその折り込み方法を示すように、それぞれジグザク状となるとともに互いに直交するように交互に折り込まれている。
【００２６】
隣り合う第一の電気絶縁層４と第二の電気絶縁層５とは、焼結成形法により焼結されて互いに固着されている（図２，３，５および６に見られる接触部でのみ固着されている）。これにより、隣り合う第一の電極２と第二の電極３とは電気絶縁層４，５を介して互いに固着されている。
【００２７】
この積層型静電アクチュエータ１においては、第一の電極２と第二の電極３との間に電位差が印加されると、これらの電極２，３を互いに近づけようとする静電引力が電極２，３間に作用し、第一および第二の電気絶縁層４，５をそのゴム弾性に抗して圧縮するので、前記電位差に応じて電極２，３間の間隔が小さくなり、アクチュエータ１全体が収縮する。他方、電極２，３間に対する電位差の印加が停止されれば、ゴム弾性により電気絶縁層４，５が元の状態に復帰する。このため、電極２，３間に印加される電位差に応じて電極２，３間の間隔が変化し、アクチュエータ１が伸縮する。なお、前記電位差の印加により、第一および第二の電気絶縁層４，５のみならず第一および第二の電極２，３もそのゴム弾性により全体として伸縮し、アクチュエータ１の収縮に寄与する。
【００２８】
ここにおいて、この積層型静電アクチュエータ１では、各電極２，３および電気絶縁層４，５はエラストマーからなり、ゴム弾性を示し、金属およびＰＥＴ等のプラスチックのような金属弾性またはプラスチック弾性および大きな変形抵抗は示さない。したがって、特許文献１に開示されている積層型静電アクチュエータの場合のように、第一の電極と第二の電極とが折曲部を回動中心として相対的に回動運動をするようなことはなく、第一の電極２と第二の電極３とが実質的に互いに対して平行を維持したまま両者間の距離が変化するように相対運動する。このため、動作特性および形状安定性等が非常に優れている。
【００２９】
また、電極２，３および電気絶縁層４，５を構成するエラストマーを複雑な形状とする必要がなく、これらの加工が容易であるので、製造コストを安価にできる。
【００３０】
なお、電気絶縁層４，５が平板状をなしていると、電極２，３間の間隔を小さくしようとする静電引力が作用しても、電気絶縁層４，５が電極２，３間の間隔を縮小させる方向に変形しにくい。しかるに、本実施例では、第一および第二の電気絶縁層４，５が凹条部４ａ，５ａおよび凸条部４ｂ，５ｂを形成しており、電極２，３間の間隔を小さくしようとする静電引力が作用したとき、第一および第二の電気絶縁層４，５が横変形できる（この横変形が凸条部４ｂまたは５ｂ間に形成される空隙６，７に受け入れられるからである）ので、電気絶縁層４，５が電極２，３間の間隔を縮小させる方向に圧縮変形しやすい。
【００３１】
また、隣り合う第一の電気絶縁層４と第二の電気絶縁層５とは互いに固着されており、これにより隣り合う第一の電極２と第二の電極３とが電気絶縁層４，５を介して互いに固着されているいるので、アクチュエータ１を伸ばそうとする大きな外力が作用しても、電極２，３間の間隔が過大に広がり、電位差を印加しても電極２，３間の間隔を縮小できなくなるような不都合が防止される。
【実施例２】
【００３２】
第一および第二の電極２，３並びに第一および第二の電気絶縁層４，５の材料のみを実施例１から変更した。第一および第二の電極２，３は、それぞれスチレン系ＴＰＥにカーボンブラックを分散させた電子伝導性ＴＰＥからなり、第一および第二の電気絶縁層４，５は、それぞれ導電性フィラーおよびイオン伝導剤を含まないスチレン系ＴＰＥからなる。他の構成は実施例１と同様である。
【００３３】
本実施例においても、実施例１の場合と同様の作用効果を得ることができる。
【実施例３】
【００３４】
第一および第二の電極２，３並びに第一および第二の電気絶縁層４，５の材料と、隣り合う第一の電気絶縁層４と第二の電気絶縁層５との固着方法のみを実施例１および２から変更した。
【００３５】
第一および第二の電極２，３は、それぞれＥＰＤＭにカーボンブラックを分散させた電子伝導性ゴムからなり、第一および第二の電気絶縁層４，５はそれぞれ導電性フィラーおよびイオン伝導剤を含まないＥＰＤＭからなる。隣り合う第一の電気絶縁層４と第二の電気絶縁層５とは、焼結ではなく、接着により互いに固着されている。他の構成は実施例１および２と同様である。
【００３６】
本実施例においても、実施例１および２の場合と同様の作用効果を得ることができる。
【実施例４】
【００３７】
図１０および１１は、本発明による積層型静電アクチュエータの実施例４を示している。実施例１においては、圧縮力を作用されたとき、導電エラストマーがなるべく変形し易くなるようにするため、第一および第二の電極２，３並びに第一および第二の電気絶縁層４，５がなす凸条部２ｂ，３ｂ，４ｂ，５ｂが横断面上で曲線状の山形をなしていたが、本実施例においては、第一および第二の電極２，３並びに第一および第二の電気絶縁層４，５がなす凸条部２ｂ，３ｂ，４ｂ，５ｂが横断面上で台形状をなしている。これにより第一の電極２と第二の電極３との間の近接部分の対向面積が大きくなっている。他の構成は実施例１と同様である。
【００３８】
本実施例においては、第一の電極２と第二の電極３との間の近接部分の対向面積が大きくされていることにより、静電引力を大きくし、アクチュエータ１の出力を大きくすることが可能になる。その他は、実施例１と同様の作用効果を得ることができる。
【実施例５】
【００３９】
図１２〜１６は本発明による積層型静電アクチュエータの実施例５を示している。このうち、図１２は、電位差を印加されていない状態における本実施例の積層型静電アクチュエータ１全体を示している。第一および第二の電極２，３はそれぞれ互いに連続していない６枚ずつの矩形シ−ト状の電極片からなる。これらの第一および第二の電極２，３は、それぞれスチレン系ＴＰＥにカーボンブラックを分散させた電子伝導性ＴＰＥからなる。図１３および１４に示されるように、前記第一の電極２の上面には多数の円形の第一の電気絶縁層４が点状ないしは島状に分散して設けられている一方、第一の電極２の下面には電気絶縁層は設けられていない。他方、アクチュエータ１の一番上の第二の電極３を除いて、図１５および１６に示されるように、第二の電極３の上面には多数の円形の第一の電気絶縁層５が点状ないしは島状に分散して設けられている一方、第二の電極３の下面には電気絶縁層は設けられていない。ただし、アクチュエータ１の一番上の第二の電極３のみは、上面および下面とも電気絶縁層を設けられていない。前記第一および第二の電気絶縁層４，５は、導電性フィラーおよびイオン伝導剤を含まないスチレン系ＴＰＥからなる。
【００４０】
前記第一の電極２と第二の電極３は交互に積層されており、これにより第一の電極２と第二の電極３との間には交互に第一の電気絶縁層４と第二の電気絶縁層５が介在されている。前記第一の電極２と前記第二の電極３との間の電気絶縁層が設けられていない部分には、空隙８，９が形成されている。隣り合う電極２，３と電気絶縁層４，５とは、焼結成形法により焼結されて互いに固着されている。これにより、隣り合う第一の電極２と第二の電極３とは電気絶縁層４，５を介して互いに固着されている。
【００４１】
各第一の電極２は一端部を導電性のピン１０により結束されて互いに電気的に導通されている。各第二の電極３も一端部を導電性のピン１１により結束されて互いに電気的に導通されている。
【００４２】
本実施例においても、第一の電極２と第二の電極３との間に電位差が印加されると、これらの電極２，３を互いに近づけようとする静電引力が電極２，３間に作用し、第一および第二の電気絶縁層４，５をそのゴム弾性に抗して圧縮するので、前記電位差に応じて電極２，３間の間隔が小さくなり、アクチュエータ１全体が収縮する。他方、電極２，３間に対する電位差の印加が停止されれば、ゴム弾性により電気絶縁層が元の状態に復帰する。このため、電極２，３間に印加される電位差に応じて電極２，３間の間隔が変化し、アクチュエータ１が伸縮する。なお、前記電位差の印加により、第一および第二の電気絶縁層４，５のみならず第一および第二の電極２，３もそのゴム弾性により全体として多少伸縮し、アクチュエータ１の収縮に寄与する。
【００４３】
また、第一の電極２と第二の電極３との間に電気絶縁層４，５が設けられている部分と設けられておらず空隙８，９が形成されている部分とが存在し、前記空隙８，９は第一の電極２と第二の電極３との間に電位差が印加され、第一の電極２と第二の電極３との間の間隔を小さくしようとする静電引力が作用したとき、第一および第二の電気絶縁層４，５の横変形を受け入れるので、電気絶縁層４，５が電極２，３間の間隔を縮小させる方向に圧縮変形しやすい。
【００４４】
また、隣り合う電極２または３と電気絶縁層４または５とは固着されており、これにより隣り合う第一の電極２と第二の電極３とが電気絶縁層４，５を介して互いに固着されているので、アクチュエータ１を伸ばそうとする大きな外力が作用しても、電極２，３間の間隔が過大に広がり、電位差を印加しても電極２，３間の間隔を縮小できなくなるような不都合が防止される。
【００４５】
このようにして、本実施例においても前記各実施例と同様の作用効果を得ることができる。
【００４６】
なお、本発明においては、第一および第二の電極の積層数は前記各実施例の数に限定されることはない。
【００４７】
また、前記各実施例においては、隣り合う電気絶縁層４，５の表面同士または隣り合う電気絶縁層４，５と電極２，３の表面同士を互いに固着することにより、隣り合う第一の電極２と第二の電極３とを電気絶縁層４，５を介して互いに固着しているが、本発明においては必ずしもそうしないでもよく、例えばストッパ手段により、第一および第二の電極間の間隔が所定の大きさを超えないように第一および第二の電極の相対的な移動可能範囲を制限してもよい。
【００４８】
また、本発明において、実施例１〜４のように、電気絶縁層の圧縮を容易にするために電極および電気絶縁層に凹凸を設ける場合、その形状は前記各実施例における形状に限定されることはない。
【００４９】
さらに、本発明において、実施例５のように、第一の電極と第二の電極との間に電気絶縁層が設けられている部分と設けられておらず空隙が形成される部分とが存在するようにする場合、電気絶縁層の分布パターンは実施例５のようなパターンに限られることはない。
【産業上の利用可能性】
【００５０】
以上のように本発明による積層型静電アクチュエータ１は、第一および第二の電極を互いの間の間隔が可変な状態で交互に積層してなり、第一の電極と第二の電極との間に与えられる電位差によって両電極間に発生する静電引力により伸縮する積層型静電アクチュエータとして有用である。
【符号の説明】
【００５１】
１    積層型静電アクチュエータ
２    第一の電極
２ａ  凹条部
２ｂ  凸条部
３    第二の電極
３ａ  凹条部
３ｂ  凸条部
４    第一の電気絶縁層
４ａ  凹条部
４ｂ  凸条部
５    第二の電気絶縁層
５ａ  凹条部
５ｂ  凸条部
６，７，８，９  空隙
【図１】
0005674222.tif 000002
【図２】
0005674222.tif 000003
【図３】
0005674222.tif 000004
【図４】
0005674222.tif 000005
【図５】
0005674222.tif 000006
【図６】
0005674222.tif 000007
【図７】
0005674222.tif 000008
【図８】
0005674222.tif 000009
【図９】
0005674222.tif 000010
【図１０】
0005674222.tif 000011
【図１１】
0005674222.tif 000012
【図１２】
0005674222.tif 000013
【図１３】
0005674222.tif 000014
【図１４】
0005674222.tif 000015
【図１５】
0005674222.tif 000016
【図１６】
0005674222.tif 000017